(57)【特許請求の範囲】
【請求項１】
基端部で互いに連結された複数の腕部が開閉自在に設けられたクリップの後側に隣接して、上記クリップの後半部分に係合することにより上記クリップを開閉したあと閉じた状態に保持するクリップ閉じリングが配置されて、上記クリップ閉じリングは、軸線方向に進退自在な外套管内に挿通配置されたシースの先端部分に前方から係脱自在に配置され、上記シース内に通された操作ワイヤを基端側から牽引することにより、上記クリップの後半部分が上記クリップ閉じリング内に引き込まれて上記クリップが開閉するように構成された内視鏡用クリップ装置において、
上記腕部の両側縁部に外方に向けて先の尖った突起を複数連続的に並んだ状態に形成して、その複数の突起部分を上記外套管の内壁面に対し弾力的に押し付けて摩擦係合させたことを特徴とする内視鏡用クリップ装置。
【発明の詳細な説明】
【０００１】
【発明の属する技術分野】
この発明は、内視鏡の処置具挿通チャンネルに通して使用されて、体内の止血、結紮或いはマーキング等を行うために用いられる内視鏡用クリップ装置に関する。
【０００２】
【従来の技術】
図１０は、従来の一般的な内視鏡用クリップ装置の一例を示しており、基端部で互いに連結された複数の腕部２ａが開閉自在に設けられたクリップ２の後側に隣接して、クリップ２の後半部分に係合することによりクリップ２を開閉したあと閉じた状態に保持するクリップ閉じリング６が配置されている。
【０００３】
クリップ閉じリング６は、軸線方向に進退自在な外套管１０内に挿通配置されたシース１の先端部分に前方から係脱自在に配置されており、クリップ２の後端から後方に延出するクリップ連結ワイヤ５が、操作ワイヤ３の先端に取り付けられたクリップ連結フック４に係脱自在に係合している。
【０００４】
そのような構成によって、シース１内に通された操作ワイヤ３を基端側から牽引することにより、クリップ１の後半部分がクリップ閉じリング６内に引き込まれてクリップ２が開閉する。
【０００５】
【発明が解決しようとする課題】
しかし、そのような内視鏡用クリップ装置は、内視鏡の処置具挿通チャンネルへの挿入操作の最中などに、うっかり操作ワイヤ３のテンションを緩めるような操作をすると、図１１に示されるように、クリップ閉じリング６がシース１の先端部分から遊離してクリップ２が離脱してしまう恐れがある。
【０００６】
そこで本発明は、術者の不注意等によってクリップがシースから離脱する恐れのない使い易い内視鏡用クリップ装置を提供することを目的とする。
【０００７】
【課題を解決するための手段】
上記の目的を達成するため、本発明の内視鏡用クリップ装置は、基端部で互いに連結された複数の腕部が開閉自在に設けられたクリップの後側に隣接して、クリップの後半部分に係合することによりクリップを開閉したあと閉じた状態に保持するクリップ閉じリングが配置されて、クリップ閉じリングは、軸線方向に進退自在な外套管内に挿通配置されたシースの先端部分に前方から係脱自在に配置され、シース内に通された操作ワイヤを基端側から牽引することにより、クリップの後半部分がクリップ閉じリング内に引き込まれてクリップが開閉するように構成された内視鏡用クリップ装置において、外套管の内壁面に対して摩擦係合する摩擦係合部をクリップ又はクリップ閉じリングに設けたものである。
【０００８】
なお、摩擦係合部が、外套管の内周面に圧接されるようにクリップの腕部又はクリップ閉じリングの外面部分に形成された圧接部であってもよく、或いは、摩擦係合部が、クリップの腕部に複数連続的に又は単独に形成された先の尖った突起、又はクリップの腕部に外方に膨らんで突出形成されたバネ性突起部であってもよい。
【０００９】
【発明の実施の形態】
図面を参照して本発明の実施例を説明する。
図２は内視鏡用クリップ装置の全体構成を示しており、クリップ２は、例えばステンレス鋼線を一定の径で密着巻きしたコイルパイプ状の可撓性シース１の先端に取り付けられている。
【００１０】
可撓性シース１内には、クリップ２に先端が連結された操作ワイヤ３が軸線方向に進退自在に挿通配置され、可撓性シース１の外面には、例えば四フッ化エチレン樹脂チューブ又は超弾性合金管等からなる可撓性の外套管１０が、軸線方向に単独で進退自在に緩く被嵌されている。
【００１１】
図２においては、クリップ２は基端寄りの部分が外套管１０の先端内に収容されていて、前方に向かってある程度開いた状態の一対の腕部２ａとその各先端に内方に向かって突出形成された先端爪状部２ｂとが見えている。
【００１２】
可撓性シース１の基端に連結された操作部２０には、可撓性シース１の基端が連結された操作部本体２３の他端側に指掛け２３ａが取り付けられると共に、操作ワイヤ３の基端が連結されたスライダー２２が操作部本体２３に対して軸線方向にスライド自在に取り付けられていて、操作ワイヤ３を軸線方向に牽引操作することができる。
【００１３】
図３は、内視鏡用クリップ装置の先端部分を拡大して示している。
クリップ２は、例えばバネ用ステンレス鋼板材等の板状部材により形成されていて、外套管１０内においてほぼ平行になる一対の腕部２ａの基端側が、ほぼ３６０°の環状に形成された基端連結部２ｃにより連結され、各腕部２ａの先端部分から、先端爪状部２ｂが内方に折れ曲がって突出形成されている。
【００１４】
このようなクリップ２は、一枚の板状部材を曲げて形成されており、基端連結部２ｃと一対の腕部２ａとの境界部２ｔは、板状部材が両外側から各々内向きに突出した括れた形状に曲げられて、その突出部分の頂部どうしが当接している。
【００１５】
そして、一対の腕部２ａは、外力が全く加わらない自然状態においては外套管１０にちょうど内接する状態よりある程度外方に広がった形状に形成されていて、平行に窄められて外套管１０内に配置されたときは、Ｉ−Ｉ断面を図示する図１に示されるように、各腕部２ａの外縁稜線部（摩擦係合部Ａ）が外套管１０の内壁面に弾力的に押し付けられて、外套管１０の内周面に摩擦係合している。
【００１６】
可撓性シース１の軸線位置に進退自在に配置された操作ワイヤ３の先端には、クリップ２から後方に延出するクリップ連結ワイヤ５に対して係脱させることができるクリップ連結フック４が取り付けられている。
【００１７】
クリップ連結フック４は、後側半部に操作ワイヤ３が半田付け等によって連結固着され、先側半部の側面部分に凹んで形成された凹部４ａに環状のクリップ連結ワイヤ５を係脱させることができるようになっている。クリップ連結ワイヤ５は、一本のワイヤの両端部分を結び合わせて環状に形成されている。
【００１８】
６は、クリップ２の基端連結部２ｃを変形させて腕部２ａを開いたあと閉じてその状態を保持するためのクリップ閉じリングであり、可撓性シース１の先端に固着された筒状のリング受け部材８の先端寄りの部分に、前方から係脱自在に嵌め込まれている。
【００１９】
このように構成された内視鏡用クリップ装置は、図３に示される状態で、図示されていない内視鏡の処置具挿通チャンネルに挿入されるが、その際に、うっかり操作ワイヤ３のテンションを緩めるような操作が行われる場合がある。
【００２０】
しかし、クリップ２の一対の腕部２ａが、各々外面側の外縁稜線部（摩擦係合部Ａ）で外套管１０の内壁面と摩擦係合しているので、クリップ閉じリング６がリング受け部材８から遊離してクリップ２がシース１から離脱してしまう状態にはならない。
【００２１】
そして、操作ワイヤ３を操作部２０側から牽引操作することにより、図４に示されるように、クリップ２の基端連結部２ｃがクリップ閉じリング６内に引き込まれて円形から楕円形状に変形し、一対の腕部２ａが可撓性シース１の前方に向かって開いた状態に変化する。
【００２２】
その状態で、一対の腕部２ａの間にクリッピングの対象である体内組織を位置させて、操作ワイヤ３を操作部２０側にさらに牽引すると、図５に示されるように、クリップ閉じリング６が先端部分でクリップ２の一対の腕部２ａを背側から押し、それによって一対の腕部２ａが平行に閉じた状態になり、可撓性シース１の前方の体内組織をクリッピングすることができる。
【００２３】
そこで、操作ワイヤ３を先側に少し押し出しながら可撓性シース１を手元側に引き戻すことにより、クリップ連結ワイヤ５とクリップ連結フック４との係合が緩むので、可撓性シース１の先端部分を左右に適当に動かせば、クリップ連結ワイヤ５がクリップ連結フック４から外れてクリップ２を体内に留置することができる。
【００２４】
なお、本発明は上記実施例に限定されるものではなく、例えば図６及び図７に示されるように、クリップ２の腕部２ａの外縁稜線部に先の尖った突起を複数連続的に又は単独に形成してその部分を摩擦係合部Ａにすれば、外套管１０との係合力がさらに強くなる。
【００２５】
また、図８に示されるように、クリップ２の腕部２ａの外面から外方に例えば円弧状に膨出したバネ性突起を形成して、その部分を外套管１０の内壁面に圧接させて摩擦係合部Ａにしてもよい。
【００２６】
また、図９に示されるように、クリップ閉じリング６の一部分（周方向においても一部分）の外径を大きく形成して外套管１０の内壁面に圧接させて、その部分を外套管１０の内壁面と摩擦係合する摩擦係合部Ａにしてもよい。
【００２７】
【発明の効果】
本発明によれば、外套管の内壁面に対して摩擦係合する摩擦係合部をクリップ又はクリップ閉じリングに設けたことにより、内視鏡の処置具挿通チャンネルに挿入する際にうっかり操作ワイヤのテンションを緩めるような操作をしても、クリップ又はクリップ閉じリングが外套管の内壁面と摩擦係合しているので、クリップ閉じリングがシースの先端部分から遊離せず、クリップがシースから離脱してしまうような状態にならない。
【図面の簡単な説明】
【図１】本発明の第１の実施例の内視鏡用クリップ装置の図３におけるＩ−Ｉ断面図である。
【図２】本発明の第１の実施例の内視鏡用クリップ装置の全体構成を示す外観図である。
【図３】本発明の第１の実施例の内視鏡用クリップ装置の先端部分の側面断面図である。
【図４】本発明の第１の実施例の内視鏡用クリップ装置のクリップの開閉動作における開状態を示す側面断面図である。
【図５】本発明の第１の実施例の内視鏡用クリップ装置のクリップの閉状態を示す側面断面図である。
【図６】本発明の第２の実施例の内視鏡用クリップ装置の先端部分の一部を断面で示す側面図である。
【図７】本発明の第３の実施例の内視鏡用クリップ装置の先端部分の一部を断面で示す側面図である。
【図８】本発明の第４の実施例の内視鏡用クリップ装置の先端部分の側面断面図である。
【図９】本発明の第５の実施例の内視鏡用クリップ装置の先端部分の側面断面図である。
【図１０】従来の内視鏡用クリップ装置の先端部分の側面断面図である。
【図１１】従来の内視鏡用クリップ装置の先端部分の操作ワイヤが緩められた状態の側面断面図である。
【符号の説明】
１  可撓性シース
２  クリップ
２ａ  腕部
３  操作ワイヤ
４  クリップ連結フック
５  クリップ連結ワイヤ
６  クリップ閉じリング
８  リング受け部材
Ａ  摩擦係合部
【図１】
0003917466.tif 000002
【図２】
0003917466.tif 000003
【図３】
0003917466.tif 000004
【図４】
0003917466.tif 000005
【図５】
0003917466.tif 000006
【図６】
0003917466.tif 000007
【図７】
0003917466.tif 000008
【図８】
0003917466.tif 000009
【図９】
0003917466.tif 000010
【図１０】
0003917466.tif 000011
【図１１】
0003917466.tif 000012